(57)【要約】【課題】コネクタの構成を簡素化する。【解決手段】機器側コネクタ１０Ａと接続されるコネクタ２０であって、電線Ｗの端末部に接続される複数の端子２１と、複数の端子２１を収容する複数の端子収容部材２２Ａ〜２２Ｄと、互いに対向する一対の側壁部４２，４３と一対の側壁部４２，４３の延出方向の端部側を連ねる一対の連結壁部４７，４７とを有し、一対の側壁部４２，４３間に複数の端子収容部材２２Ａ〜２２Ｄを側壁部４２，４３の延出方向に沿う方向に並べて保持する保持部材４１と、を備え、端子収容部材２２Ａ〜２２Ｄは、各側壁部４２，４３側に突出して各側壁部４２，４３に支持される一対の支持部３８，３８を備える。【選択図】図８
2014203696.tif 000002
【特許請求の範囲】
【請求項１】
機器側に備えられる相手側コネクタと接続されるコネクタであって、
電線の端末部に接続される複数の端子と、
前記複数の端子を収容する複数の端子収容部材と、
互いに対向する一対の側壁部と前記一対の側壁部の延出方向の端部側を連ねる一対の連結壁部とを有し、前記一対の側壁部間に前記複数の端子収容部材を前記側壁部の延出方向に沿う方向に並べて保持する保持部材と、を備え、
前記端子収容部材は、各前記側壁部側に突出して前記各側壁部に支持される一対の支持部を備えるコネクタ。
【請求項２】
前記一対の支持部は、同軸上に突出している請求項１に記載のコネクタ。
【請求項３】
前記端子収容部材は、前記一対の側壁部間に挿入されて組み付けられるものであり、
前記一対の支持部は、前記端子収容部材における前記挿入方向の後端部側に配されている請求項１又は請求項２に記載のコネクタ。
【請求項４】
前記相手側コネクタは、複数の分割コネクタ部を重ねて構成されており、
前記分割コネクタ部は、前記端子と接続される相手側端子と、
前記相手側端子を外部と隔てる隔壁とを備え、
前記複数の分割コネクタ部のうち、一の前記分割コネクタ部の前記隔壁は、前記相手側端子の四方を包囲する角筒状であり、他の前記分割コネクタ部の前記隔壁は、前記相手側端子に対して三方が包囲され、一方が開放されたＵ字状であり、
前記相手側コネクタは、前記分割コネクタ部における前記隔壁の開放された一方を隣の前記分割コネクタ部の隔壁が覆うように前記複数の分割コネクタ部を重ねて構成されている請求項１ないし請求項３のいずれか一項に記載のコネクタ。
【請求項５】
前記端子収容部材は、前記一対の側壁部間に挿入されて組み付けられるものであり、前記端子収容部材は、前記端子収容部材の並び方向の隣りに位置する他の前記端子収容部材及び前記一対の側壁部の少なくとも一方に係合して前記挿入の方向を案内するガイド部を備える請求項１ないし請求項４のいずれか一項に記載のコネクタ。
【請求項６】
前記複数の端子収容部材は、前記端子収容部材の並び方向の隣りに位置する他の前記端子収容部材に係止する係止部を備える請求項１ないし請求項５のいずれか一項に記載のコネクタ。
【請求項７】
前記相手側コネクタは、複数の扁平な機器を積み重ねて構成された機器ユニットに備えられるものである請求項１ないし請求項６のいずれか一項に記載のコネクタ。
【発明の詳細な説明】
【技術分野】
【０００１】
本発明は、コネクタに関する。
【背景技術】
【０００２】
従来、電線の端末部に取り付けられた複数の端子が並んで収容され、機器側に設けられる機器側コネクタに嵌合して接続されるコネクタが知られている。
この種のコネクタには、複数の端子のぞれぞれを収容する複数の端子収容部材を保持部材内に移動可能に保持することで、機器側コネクタの公差を端子収容部材の移動により吸収して両コネクタを嵌合できるようになっているものがある。
【０００３】
特許文献１では、複数の端子のそれぞれを収容する複数のキャビティが、キャビティとは別体に構成されたホルダに収容されたコネクタが記載されている。
このコネクタのホルダは、隣り合うキャビティ間が収容室の壁で仕切られており、ホルダの収容室に挿入された複数のキャビティは、キャビティごとに収容室の壁の間に保持されている。
【先行技術文献】
【特許文献】
【０００４】
【特許文献１】特開２０１２−２２６８８２号公報
【発明の概要】
【発明が解決しようとする課題】
【０００５】
ところで、上記構成では、キャビティを収容室内に保持するためには、隣り合うキャビティ間に壁等を設ける必要があるため、コネクタの構成が複雑になりやすいという問題があった。
【０００６】
本発明は上記のような事情に基づいて完成されたものであって、コネクタの構成を簡素化することを目的とする。
【課題を解決するための手段】
【０００７】
本発明は、機器側に備えられる相手側コネクタと接続されるコネクタであって、電線の端末部に接続される複数の端子と、前記複数の端子を収容する複数の端子収容部材と、互いに対向する一対の側壁部と前記一対の側壁部の延出方向の端部側を連ねる一対の連結壁部とを有し、前記一対の側壁部間に前記複数の端子収容部材を前記側壁部の延出方向に沿う方向に並べて保持する保持部材と、を備え、前記端子収容部材は、各前記側壁部側に突出して前記各側壁部に支持される一対の支持部を備える。
【０００８】
このようにすれば、端子収容部材が、一対の支持部を介して各側壁部に支持されるため、保持部材を収容室の壁で区画しなくても、保持部材が端子収容部材を一対の支持部を介して保持することが可能になる。よって、コネクタの構成を簡素化することができる。
また、このようにしても、端子収容部材の保持は、一対の支持部を側壁部に支持させることで行われる構成であるので、相手側コネクタと接続される際に、公差に応じて一対の支持部の位置ずれを許容させることが容易にできる。
【０００９】
上記構成の実施態様として以下の構成を有すれば好ましい。
・前記一対の支持部は、同軸上に突出している。
このようにすれば、支持部の軸を中心をした端子収容部材の回動により、相手側コネクタとの嵌合の際の端子収容部材の位置ずれを可能とすることができる。
【００１０】
・前記端子収容部材は、前記一対の側壁部間に挿入されて組み付けられるものであり、前記一対の支持部は、前記端子収容部材における前記挿入方向の後端部側に配されている。
このようにすれば、一対の支持部を一対の側壁部に支持させるための構成を簡素化することが可能になる。
【００１１】
・前記相手側コネクタは、複数の分割コネクタ部を重ねて構成されており、前記分割コネクタ部は、前記端子と接続される相手側端子と、前記相手側端子を外部と隔てる隔壁とを備え、前記複数の分割コネクタ部のうち、一の前記分割コネクタ部の前記隔壁は、前記相手側端子の四方を包囲する角筒状であり、他の前記分割コネクタ部の前記隔壁は、前記相手側端子に対して三方が包囲され、一方が開放されたＵ字状であり、前記相手側コネクタは、前記分割コネクタ部における前記隔壁の開放された一方を隣の前記分割コネクタ部の隔壁が覆うように前記複数の分割コネクタ部を重ねて構成されている。
このようにすれば、複数の分割コネクタ部を重ねて構成された相手側コネクタについて、相手側端子を外部から絶縁するための隔壁を少なくすることで、相手側コネクタを小型化することが可能になる。よって、相手側コネクタと接続されるコネクタについても小型化することが可能になる。
【００１２】
・前記端子収容部材は、前記一対の側壁部間に挿入されて組み付けられるものであり、前記端子収容部材の並び方向の隣りに位置する他の前記端子収容部材及び前記一対の側壁部の少なくとも一方に係合して前記挿入の方向を案内するガイド部を備える。
このようにすれば、端子収容部材の保持部材への挿入を容易にすることが可能になる。
【００１３】
・前記複数の端子収容部材は、前記端子収容部材の並び方向の隣りに位置する他の前記端子収容部材に係止する係止部を備える。
このようにすれば、端子収容部材の構成を利用して隣り合う端子収容部材間の位置を保持することが可能になる。
また、一対の支持部とは異なる方向から係止部が他の端子収容部材に係止することになるため、端子収容部材を安定した姿勢で保持することが可能になる。
【００１４】
・前記相手側コネクタは、複数の扁平な機器を積み重ねて構成された機器ユニットに備えられるものである。
複数の扁平な機器を積み重ねたために端子間に公差が生じやすい構成の相手側コネクタと接続されるコネクタについて、端子収容部材を保持部材とは別に設けることで相手側コネクタの公差を吸収することができる。そして、このように公差を吸収できる構成において、端子収容部材が一対の支持部を介して各側壁部に支持されるため、コネクタの構成を簡素化することが可能になる。
【発明の効果】
【００１５】
本発明によれば、コネクタの構成を簡素化することが可能になる。
【図面の簡単な説明】
【００１６】
【図１】実施形態１のコネクタが機器側コネクタと嵌合した状態を示す斜視図
【図２】コネクタが機器側コネクタとの嵌合状態から離脱した状態を示す斜視図
【図３】機器ユニットのケースが外された状態を示す斜視図
【図４】機器側コネクタを示す斜視図
【図５】図４とは異なる方向から機器側コネクタを示す斜視図
【図６】機器側コネクタを示す平面図
【図７】機器ユニットの複数の機器が分離された状態を示す斜視図
【図８】コネクタを示す平面図
【図９】図８のＡ−Ａ断面図
【図１０】図８のＢ−Ｂ断面図
【図１１】コネクタの平断面図
【図１２】端子収容部材を示す斜視図
【図１３】図１２とは異なる方向から端子収容部材を示す斜視図
【図１４】端子収容部材を示す正面図
【図１５】端子収容部材を示す背面図
【図１６】端子収容部材を示す平面図
【図１７】保持部材を示す斜視図
【図１８】保持部材を示す平面図
【図１９】複数の端子収容部材の保持部材への組み付けを説明するための斜視図
【図２０】複数の端子収容部材が保持部材に挿入される順番を説明するための図
【発明を実施するための形態】
【００１７】
＜実施形態＞
本発明の一実施形態を図１ないし図２０を参照しつつ説明する。
本実施形態におけるコネクタ２０は、機器１１Ａ〜１１Ｄ側に設けられる機器側コネクタ１０Ａ（「相手側コネクタ」の一例）と嵌合するものである。以下では、前後方向については、図８の下方を前方、上方を後方とし、上下方向については、図９の方向を基準として説明する。
【００１８】
機器側コネクタ１０Ａは、図２に示すように、バッテリや基板などの扁平な機器１１Ａ〜１１Ｄを備えた機器ユニット１０に設けられたコネクタである。
（機器ユニット１０）
機器ユニット１０は、図７に示すように、複数（本実施形態では４個）の機器１１Ａ〜１１Ｄを積層して構成されている。
【００１９】
機器１１Ａ〜１１Ｄは、扁平な形状の扁平本体１２と、扁平本体１２の端面から突出し、機器側コネクタ１０Ａが４個に分割された形状の分割コネクタ部１３とを備えている。
分割コネクタ部１３は、タブ状をなす雄端子１４と、雄端子１４を外部と隔てる隔壁１５と、隔壁１５の下端を閉塞する奥壁１３Ａとを備える。
【００２０】
隔壁１５は、扁平本体１２の上端面に沿う上面を有する奥壁１３Ａの縁部から上方に垂直に起立している。
機器１１Ａ〜１１Ｄのうち、前端（並び方向の一端）の機器１１Ａの隔壁１５は、図６に示すように、雄端子１４の四方を包囲する角筒状をなしており、互いに対向する前壁１６Ａ及び後壁１６Ｃが一対の側壁１６Ｂ，１６Ｄで連結されている。
前端以外の機器１１Ｂ〜１１Ｄの隔壁１５は、一方側が開放された略Ｕ字状をなしており、前壁１６Ａを備えておらず、他の後壁１６Ｃ及び一対の側壁１６Ｂ，１６Ｄを備えている。
【００２１】
これにより、機器１１Ａ〜１１Ｄが積層されると、各機器１１Ａ〜１１Ｃについては、その後壁１６Ｃが後方側に隣り合う機器１１Ｂ〜１１Ｄの隔壁１５における側壁１６Ｂ，１６Ｄの前端部の開放された空間（前壁１６Ａがない部分）を塞ぐ。これにより、複数の機器１１Ａ〜１１Ｄが積層されると、全ての雄端子１４について、四方が隔壁１５で包囲され、この隔壁１５により雄端子１４が外部から絶縁された状態となる。
【００２２】
隔壁１５の上端部には、その内面側が傾斜状に切欠かれた案内面１５Ａが形成されている。
案内面１５Ａは、コネクタ２０を機器側コネクタ１０Ａと嵌合させる際に、端子収容部材２２Ａ〜２２Ｄの先端部が当接することで、端子収容部材２２Ａ〜２２Ｄの先端部を位置ずれさせて隔壁１５の内側に案内する。
【００２３】
複数の機器１１Ａ〜１１Ｄは、扁平な面が重なる方向に積層されており、複数の分割コネクタ部１３が纏まって、複数（本実施形態では４個）の雄端子１４がハウジングに保持されてなる機器側コネクタ１０Ａが形成されている。この機器側コネクタ１０Ａは、機器１１Ａ〜１１Ｄ（機器ユニット１０）の端面から扁平な面に沿う方向に突出する。
【００２４】
機器ユニット１０は、図２に示すように、ケース１９で覆われている。
このケース１９は、機器側コネクタ１０Ａの外周壁を形成するフード部１９Ｂを有しており、フード部１９Ｂの外面には、コネクタ２０が嵌合した際にロック状態とするロック突部１９Ａが形成されている。
コネクタ２０を機器側コネクタ１０Ａに嵌合させると、図１に示すように、コネクタ２０側のロック受け部４１Ｂのロック孔にロック突部１９Ａが嵌まり込んで係止することで両コネクタ１０Ａ，２０が嵌合状態でロックされる。
【００２５】
（コネクタ２０）
コネクタ２０は、電圧検知線や電力線などの電線Ｗの端末部に接続されるものであり、図１０に示すように、電線Ｗの端末部に接続される複数（本実施形態では４個）の端子２１（図１０では、１個のみを概略的に図示し、他の端子は図示を省略している）と、複数の端子２１を個別に収容する複数（本実施形態では４個）の端子収容部材２２Ａ〜２２Ｄと、複数の端子収容部材２２Ａ〜２２Ｄが挿入されて並んで保持される１個の保持部材４１とを備える。
端子２１は、雌形であって、雄端子１４が挿通されて接続される箱形の端子接続部と、電線Ｗが接続される電線接続部とを備える。
【００２６】
（端子収容部材２２Ａ〜２２Ｄ）
複数の端子収容部材２２Ａ〜２２Ｄは、共に合成樹脂製で同一形状であって、図１２，図１３に示すように、端子２１が収容されて内側に保持される角筒状の筒状部２３と、筒状部２３の上端部から外方に張り出す複数（本実施形態では３個）の保持部３２を備える。
【００２７】
筒状部２３は、互いに対向配置された板状の前壁２４及び後壁２５と、前壁２４と後壁２５とを連ねる板状の一対の側壁２６，２７とを備える。
筒状部２３の上端には、端子２１を挿入可能な開口部２３Ａが形成されている。
筒状部２３の下端部には、両側壁２６，２７側を傾斜状に切欠いた形状の切欠部２３Ｂが形成されている。
【００２８】
筒状部２３の側壁２６，２７には、段差状の抜け止め部２８Ａ，２９Ａが形成されている。
一方の抜け止め部２８Ａは一方の側壁２６の外面を切欠いた薄肉部２８を設けることで形成されている。他方の抜け止め部２９Ａは、他方の側壁２７の外面に前後方向に延びる凸条２９を設けることで形成されている。
【００２９】
保持部３２は、筒状部２３の上端面と面一に外方に張り出して形成されている。
端子収容部材２２Ａ（並び方向における係止部３３が係止する側の端部に位置する端子収容部材）の保持部３２は、筒状部２３の上端部から前方に突出して保持部材４１に係止する保持部材係止部３７と、筒状部２３の上端部から左右に突出して保持部材４１の側壁部４２，４３に支持される一対の支持部３８，３８とを備える。
端子収容部材２２Ｂ〜２２Ｄの保持部３２は、筒状部２３の上端部から前方に突出して端子収容部材２２Ａ〜２２Ｃに係止する係止部３３と、筒状部２３の上端部から左右に突出して保持部材４１の側壁部４２，４３に支持される一対の支持部３８，３８とを備える。
【００３０】
保持部材係止部３７及び係止部３３は、左右方向に長い長方形の板状であって、筒状部２３の上端部における幅方向の中間部に設けられている。
保持部材係止部３７は、端子収容部材２２Ａが保持部材４１に対して正規位置まで挿入されると保持部材４１に係止して下方（挿入方向）への移動が規制される。
保持部材係止部３７の下方には、端部ガイド突部３７Ａが保持部材係止部３７の一方の端部から下方に延びている。
【００３１】
係止部３３は、端子収容部材２２Ｂ〜２２Ｄが保持部材４１に対して正規位置まで挿入されると端子収容部材２２Ｂ〜２２Ｄの前方（並び方向の隣り）に位置する他の端子収容部材２２Ａ〜２２Ｃに係止して端子収容部材２２Ｂ〜２２Ｄの下方（挿入方向）への移動が規制される。
係止部３３の下方には、第１ガイド突部３４（「ガイド部」の一例）が係止部３３の一方の端部から下方に延びている。
【００３２】
後壁２５の上端には、後方側に隣り合う端子収容部材２２Ｂ〜２２Ｄの係止部３３が載置される第１載置部３５が凹設されている。
第１載置部３５は、筒状部２３の上端部を係止部３３の厚み（保持部材係止部３７の厚み）分だけ切欠いた形状で窪んでいる。
【００３３】
第１載置部３５の幅寸法は、第１載置部３５に後方側の端子収容部材２２Ｂ〜２２Ｄの係止部３３が載置された際に、係止部３３の左右方向の両端との間に所定のクリアランスを有する寸法とされる。
【００３４】
所定のクリアランスは、コネクタ２０が機器側コネクタ１０Ａと嵌合した際に、寸法公差に応じて端子収容部材２２Ａ〜２２Ｄの左右方向の位置ずれを許容する程度の寸法とされる。
第１載置部３５には、端子収容部材２２Ｂ〜２２Ｄの第１ガイド突部３４が挿通される第１ガイド溝部３５Ａが形成されている。
第１ガイド溝部３５Ａは、第１載置部３５の幅方向の一方の端部側を切欠いて形成されている。
【００３５】
前壁２４の側方には、前壁２４の前面と面一に連なる第２ガイド突部３６（「ガイド部」の一例）が側壁２７の側方に板状に延びている。
一対の支持部３８，３８は、側壁２６，２７の上端部における後端縁から両側方に棒状に突出している。
一対の支持部３８，３８は、それらの中間に対して対称な形状であり、その中心の軸線が同軸上に配されている。
支持部３８は、平板状の板状部３９と、板状部３９の前方に連なり板状部３９の上面側を段差状に肉厚とした厚肉部４０を有する。
【００３６】
支持部３８の底面３８Ａは、前後方向の中間部が平坦な面とされ、前端部及び後端部は切欠かれてやや丸みを帯びている。
端子収容部材２２Ｂ〜２２Ｄが保持部材４１の正規位置に装着されると、係止部３３及び支持部３８の上端面は、これらが係止された前方の端子収容部材２２Ａ〜２２Ｃの筒状部２３の上端面と面一になる。
筒状部２３の先端部を閉塞する底壁３０には、図１６に示すように、雄端子１４が挿入される溝状の端子挿入孔３０Ａが貫通している。
【００３７】
（保持部材４１）
保持部材４１は、図１７に示すように、内側に端子収容部材２２Ａ〜２２Ｄを挿通する挿通孔４１Ａを有する枠状であって、互いに対向配置された一対の側壁部４２，４３と、一対の側壁部４２，４３間を連結する連結壁部４７，４７とを備える。
【００３８】
一対の側壁部４２，４３には、各端子収容部材２２Ａ〜２２Ｄの左右の両側から弾性力で挟持する一対の弾性片４４，４４が各端子収容部材２２Ａ〜２２Ｄに対応して前後方向に４箇所並んで設けられている。
各弾性片４４は、側壁部４２，４３の上端部を基端として下方に向けて片持ち状に延びており、先端側が左右方向に撓み変形可能となっている。
【００３９】
弾性片４４の先端部には、端子収容部材２２Ａ〜２２Ｄの抜け止め部２８Ａ，２９Ａに係止する抜け止め突部４５が内方に突出している。
弾性片４４の基端部の後方に隣接する位置には、支持部３８が載置される第２載置部４６が凹設されている。
【００４０】
第２載置部４６は、端子収容部材２２Ａ〜２２Ｄを挿通孔４１Ａ内の正規位置まで挿入した際に支持部３８が当接して端子収容部材２２Ａ〜２２Ｄが係止されることで、端子収容部材２２Ａ〜２２Ｄにおける挿入方向の前方側が位置決めされる。
第２載置部４６の前後方向の寸法は、支持部３８が載置された状態で支持部３８との間に所定のクリアランスを有する寸法に設定されている。
所定のクリアランスは、コネクタ２０が機器側コネクタ１０Ａと嵌合した際に、寸法公差に応じて端子収容部材２２Ａ〜２２Ｄの前後方向の位置ずれを可能とする寸法が設定される。
【００４１】
なお、本実施形態では、図８に示すように、端子収容部材２２Ａ〜２２Ｄが（壁で仕切られずに）隣接しているため、端子収容部材２２Ａ〜２２Ｄの前後方向の位置ずれは、挿通孔４１Ａ内における端子収容部材２２Ａ〜２２Ｄが前後方向に移動可能な範囲（挿通孔４１Ａの前後方向の長さと端子収容部材２２Ａ〜２２Ｄの前後方向の長さの和との差によって生じる前後方向の隙間の範囲）に限られる。そのため、支持部３８が第２載置部４６内で前後方向に移動（位置ずれ）可能な範囲は、上記した支持部３８が第２載置部４６に載置された状態のクリアランスよりも小さくなっている。
【００４２】
前方側の連結壁４７には、図１７に示すように、その上端面に収容部材載置部４８が凹設されている。
収容部材載置部４８の底面に端子収容部材２２Ａの保持部材係止部３７が載置される。
【００４３】
収容部材載置部４８の下方には、端子収容部材２２Ａの端部ガイド突部３７Ａが挿通される端部ガイド溝部４９が形成されている。
側壁部４３には、第２ガイド突部３６が挿通されて第２ガイド突部３６を上下方向に案内する第２ガイド溝部５１が形成されている。
側壁部４２には、機器側コネクタ１０Ａとの嵌合状態をロックするためのロック部５０が設けられている。
【００４４】
次に、コネクタ２０の組み付けについて説明する。
保持部材４１における挿通孔４１Ａの前方側から端子収容部材２２Ａ〜２２Ｄを順番に嵌め入れていく。端子収容部材２２Ｂ〜２２Ｄについては、図２０に示すように、係止部３３が前方の端子収容部材２２Ａ〜２２Ｃの上に配されるため、各端子収容部材２２Ａ〜２２Ｄを保持部材４１の前方側から順番に挿入していく必要がある。
【００４５】
端子収容部材２２Ａは、端部ガイド突部３７Ａ及び第２ガイド突部３６を保持部材４１の端部ガイド溝部４９及び第２ガイド溝部５１に挿通することで挿通方向が案内される。
端子収容部材２２Ａが保持部材４１に対して正規位置まで挿通されると、保持部材係止部３７が保持部材４１の収容部材載置部４８に係止されるとともに、一対の支持部３８，３８が第２載置部４６，４６に係止されて端子収容部材２２Ａの下方への移動が規制される。
【００４６】
また、端子収容部材２２Ａの挿通時に端子収容部材２２Ａに当接して弾性変形した一対の弾性片４４，４４が抜け止め部２８Ａ，２９Ａを通って復元変形し、端子収容部材２２Ａの上方（抜け方向）への力に対して弾性片４４，４４が抜け止め部２８Ａ，２９Ａに係止され、端子収容部材２２Ａの上方への移動が規制される。
これにより、端子収容部材２２Ａが上下方向に（クリアランスの範囲で）位置決めされる。
【００４７】
次に、端子収容部材２２Ｂは、第１ガイド突部３４及び第２ガイド突部３６を前方の端子収容部材２２Ａに設けられた第１ガイド溝部３５Ａ及び保持部材４１に設けられた第２ガイド溝部５１に挿通することで挿通方向が案内される。
端子収容部材２２Ｂが正規位置まで挿通されると、係止部３３が前方の端子収容部材２２Ａに設けられた第１載置部３５に係止されるとともに、一対の支持部３８，３８が第２載置部４６，４６に係止されて端子収容部材２２Ｂの下方への移動が規制される。
【００４８】
また、端子収容部材２２Ｂの挿通時に端子収容部材２２Ｂに当接して弾性変形した一対の弾性片４４，４４が抜け止め部２８Ａ，２９Ａを通って復元変形し、端子収容部材２２Ａの上方（抜け方向）への力に対して弾性片４４，４４が抜け止め部２８Ａ，２９Ａに係止され、端子収容部材２２Ａの上方への移動が規制される。
これにより、端子収容部材２２Ｂが上下方向に（クリアランスの範囲で）位置決めされる。
【００４９】
端子収容部材２２Ｃ，２２Ｄについても端子収容部材２２Ｂと同様に順番に保持部材４１に組み付けていく。
全ての端子収容部材２２Ａ〜２２Ｄが保持部材４１に組み付けられると、コネクタ２０が形成される。
なお、端子収容部材２２Ａ〜２２Ｄを順番に組み付ける構成に限らず、図１９のように端子収容部材２２Ａ〜２２Ｄ群を纏めて保持部材４１に挿入して組み付けるようにしてもよい。
【００５０】
このコネクタ２０を機器側コネクタ１０Ａと嵌合させると、機器側コネクタ１０Ａの位置が寸法公差により位置ずれしている場合には、各端子収容部材２２Ａ〜２２Ｄは、保持部材係止部３７，係止部３３，一対の支持部３８，３８のクリアランスに応じて各端子収容部材２２Ａ〜２２Ｄを位置ずれさせて、両コネクタ１０Ａ，２０を嵌合させる。
【００５１】
本実施形態によれば、以下の作用・効果を奏する。
本実施形態のコネクタ２０は、電線Ｗの端末部に接続される複数の端子２１と、複数の端子２１を収容する複数の端子収容部材２２Ａ〜２２Ｄと、互いに対向する一対の側壁部４２，４３と一対の側壁部４２，４３の前後方向（延出方向）の端部側を連ねる一対の連結壁部４７，４７とを有し、一対の側壁部４２，４３間に複数の端子収容部材２２Ａ〜２２Ｄを前後方向（側壁部４２，４３の延出方向）に沿う方向に並べて保持する保持部材４１と、を備え、端子収容部材２２Ａ〜２２Ｄは、各側壁部４２，４３側に突出して各側壁部４２，４３に支持される一対の支持部３８，３８を備える。
【００５２】
このようにすれば、端子収容部材２２Ａ〜２２Ｄが、一対の支持部３８，３８を介して各側壁部４２，４３に支持されるため、保持部材４１を収容室の壁で区画しなくても、保持部材４１が端子収容部材２２Ａ〜２２Ｄを一対の支持部３８，３８を介して保持することが可能になる。よって、コネクタ２０の構成を簡素化することができる。
また、このようにしても、端子収容部材２２Ａ〜２２Ｄの保持は、一対の支持部３８，３８を側壁部４２，４３に支持させることで行われる構成であるので、機器側コネクタ１０Ａ（相手側コネクタ）と接続される際に、公差に応じて一対の支持部３８，３８の位置ずれを許容させることが容易にできる。
【００５３】
さらに、一対の支持部３８，３８は、同軸上に突出している。
このようにすれば、支持部３８，３８の軸を中心をした端子収容部材２２Ａ〜２２Ｄの回動により、機器側コネクタ１０Ａとの嵌合の際の端子収容部材２２Ａ〜２２Ｄの位置ずれを可能とすることができる。
【００５４】
また、端子収容部材２２Ａ〜２２Ｄは、一対の側壁部４２，４３間に挿入されて組み付けられるものであり、一対の支持部３８，３８は、端子収容部材２２Ａ〜２２Ｄにおける挿入方向の後端部側に配されている。
このようにすれば、一対の支持部３８，３８を一対の側壁部４２，４３に支持させるための構成を簡素化することが可能になる。
【００５５】
さらに、機器側コネクタ１０Ａ（相手側コネクタ）は、複数の分割コネクタ部１３を重ねて構成されており、分割コネクタ部１３は、端子２１と接続される雄端子１４（相手側端子）と、雄端子１４を外部と隔てる隔壁１５とを備え、複数の分割コネクタ部１３のうち、一の分割コネクタ部１３の隔壁１５は、雄端子１４の四方を包囲する角筒状であり、他の分割コネクタ部の隔壁１５は、雄端子１４に対して三方が包囲され、一方が開放されたＵ字状であり、機器側コネクタ１０Ａは、分割コネクタ部１３における隔壁１５の開放された一方を隣の分割コネクタ部１３の隔壁１５が覆うように複数の分割コネクタ部１３を重ねて構成されている。
このようにすれば、複数の分割コネクタ部１３を重ねて構成された機器側コネクタ１０Ａについて、雄端子１４を外部から絶縁するための隔壁１５を少なくすることで、コネクタ２０を小型化することが可能になる。よって、機器側コネクタ１０Ａと接続されるコネクタ２０についても小型化することが可能になる。
【００５６】
また、端子収容部材２２Ａ〜２２Ｄは、一対の側壁部４２，４３間に挿入されて組み付けられるものであり、端子収容部材２２Ａ〜２２Ｄは、前後方向（端子収容部材２２Ａ〜２２Ｄの並び方向）の隣りに位置する他の端子収容部材２２Ａ〜２２Ｄ及び一対の側壁部４２，４３（の少なくとも一方）に係合して挿入の方向を案内する第１ガイド突部３４（ガイド部）及び第２ガイド突部３６（ガイド部）を備える。
このようにすれば、端子収容部材２２Ａ〜２２Ｄの保持部材４１への挿入を容易にすることが可能になる。
【００５７】
さらに、複数の端子収容部材２２Ａ〜２２Ｄは、前後方向（端子収容部材２２Ａ〜２２Ｄの並び方向）の隣りに位置する他の端子収容部材２２Ａ〜２２Ｄに係止する係止部３３を備える。
このようにすれば、端子収容部材２２Ａ〜２２Ｄの構成を利用して隣り合う端子収容部材２２Ａ〜２２Ｄ間の位置を保持することが可能になる。
また、端子収容部材２２Ａ〜２２Ｄを一対の支持部３８，３８とは異なる方向から係止部３３が係止することになるため、端子収容部材２２Ａ〜２２Ｄを安定した姿勢で保持することが可能になる。
【００５８】
さらに、機器側コネクタ１０Ａ（相手側コネクタ）は、複数の扁平な機器１１Ａ〜１１Ｄを積み重ねて構成された機器ユニット１０に備えられるものである。
複数の扁平な機器１１Ａ〜１１Ｄを積み重ねたために雄端子１４間に公差が生じやすい構成の機器側コネクタ１０Ａと接続されるコネクタ２０について、端子収容部材２２Ａ〜２２Ｄを保持部材４１とは別に設けることで機器側コネクタ１０Ａの公差を吸収することができる。そして、このように公差を吸収できる構成において、端子収容部材２２Ａ〜２２Ｄが一対の支持部３８，３８を介して各側壁部４２，４３に支持されるため、コネクタ２０の構成を簡素化することが可能になる。
【００５９】
また、端子収容部材２２Ａ〜２２Ｄは、係止部２３や一対の支持部３８，３８が端子収容部材２２Ａ〜２２Ｄの外方に突出する形状に加工すればよいため、金型の製造コストを低減することが可能になる。
【００６０】
＜他の実施形態＞
本発明は上記記述及び図面によって説明した実施形態に限定されるものではなく、例えば次のような実施形態も本発明の技術的範囲に含まれる。
（１）上記実施形態では、全ての端子収容部材２２Ａ〜２２Ｄを同一形状としたが、複数の端子収容部材２２Ａ〜２２Ｄを異なる形状としてもよい。
また、端子収容部材２２Ｂ〜２２Ｄの全てに係止部３３や支持部３８を設けなくてもよく、１又は複数の端子収容部材２２Ｂ〜２２Ｄに係止部３３や支持部３８を設けるようにしてもよい。
（２）機器ユニット１０を構成する機器の数は、上記実施形態の４個に限られず、他の個数であってもよい。また、端子収容部材の数も上記実施形態の４個に限られず、他の個数であってもよい。
（３）一対の支持部３８，３８は同軸上に突出している構成としたが、同軸状でない構成とすることも可能である。
（４）一対の支持部３８，３８は、端子収容部材２２Ａ〜２２Ｄにおける挿入方向の後端部側に配されている構成としたが、これに限られない。例えば、挿入方向の後端部よりも前方に一対の支持部を設け、この支持部を載置する載置部を一対の側壁部４２，４３における上端部以外に設けてもよい。
【符号の説明】
【００６１】
１０...機器ユニット
１０Ａ...機器側コネクタ（相手側コネクタ）
１１Ａ〜１１Ｄ...機器
１４...雄端子
２０...コネクタ
２１...端子
２２Ａ〜２２Ｄ...端子収容部材
２３...筒状部
２４...前壁
２５...後壁
２６，２７...側壁
３２...保持部
３３...係止部
３４...第１ガイド突部（ガイド突部）
３５...第１載置部
３５Ａ...第１ガイド溝部
３６...第２ガイド突部（ガイド突部）
３７...保持部材係止部
３７Ａ...端部ガイド突部
３８，３８...一対の支持部
４１...保持部材
４２，４３...側壁部
４４...弾性片
４６...第２載置部
４８...収容部材載置部
４９...端部ガイド溝部
５１...第２ガイド溝部
Ｗ...電線
【図１】
2014203696.tif 000003
【図２】
2014203696.tif 000004
【図３】
2014203696.tif 000005
【図４】
2014203696.tif 000006
【図５】
2014203696.tif 000007
【図６】
2014203696.tif 000008
【図７】
2014203696.tif 000009
【図８】
2014203696.tif 000010
【図９】
2014203696.tif 000011
【図１０】
2014203696.tif 000012
【図１１】
2014203696.tif 000013
【図１２】
2014203696.tif 000014
【図１３】
2014203696.tif 000015
【図１４】
2014203696.tif 000016
【図１５】
2014203696.tif 000017
【図１６】
2014203696.tif 000018
【図１７】
2014203696.tif 000019
【図１８】
2014203696.tif 000020
【図１９】
2014203696.tif 000021
【図２０】
2014203696.tif 000022